(57)【要約】【課題】駆動装置の動作の安全性を確保するとともに、製造費用を節減することができるプラズマディスプレイ装置及びプラズマディスプレイパネルの駆動方法を提供する。【解決手段】プラズマディスプレイ装置１００は、プラズマディスプレイパネル１１０と、駆動装置１２０とを備える。プラズマディスプレイパネル１１０は、スキャン電極Ｙとサステイン電極Ｚとを有する。駆動装置１２０は、エネルギー回収回路１３０を有する。エネルギー回収回路１３０は、スキャン電極Ｙ及びサステイン電極Ｚに共通してエネルギーを供給するとともに、スキャン電極Ｙ及びサステイン電極Ｚから共通してエネルギーを回収する。【選択図】図３
2007079535.tif 000002
【特許請求の範囲】
【請求項１】
スキャン電極とサステイン電極とを有するプラズマディスプレイパネルと、
前記スキャン電極及び前記サステイン電極に共通してエネルギーを供給するとともに、前記スキャン電極及び前記サステイン電極から共通してエネルギーを回収するエネルギー回収経路を有する駆動部と、
を備えた、
プラズマディスプレイ装置。
【請求項２】
前記駆動部は、
前記エネルギー回収経路を前記スキャン電極に連結する第１エネルギー供給制御部と、
前記エネルギー回収経路を前記サステイン電極に連結する第２エネルギー供給制御部と、
をさらに有する、
請求項１に記載のプラズマディスプレイ装置。
【請求項３】
前記エネルギー回収経路は、
エネルギー回収のために共振を遂行する共通インダクターと、
エネルギー回収のためのスイチング動作を遂行するエネルギー回収制御部と、
回収されたエネルギーを貯蔵する共通キャパシターと、
を含む、
請求項１に記載のプラズマディスプレイ装置。
【請求項４】
前記エネルギー回収経路は、
エネルギーを前記プラズマディスプレイパネルに供給する場合、サステイン電圧レベルを維持するようにする過電流遮断部をさらに含む、
請求項１に記載のプラズマディスプレイ装置。
【請求項５】
前記第１エネルギー供給制御部は、スキャン電極が駆動される時に、ターンオン（ｔｕｒｎ  ｏｎ）されて、前記エネルギー回収経路に貯蔵されたエネルギーをスキャン電極に供給する、
請求項２に記載のプラズマディスプレイ装置。
【請求項６】
前記第２エネルギー供給制御部は、サステイン電極が駆動される時に、ターンオン（ｔｕｒｎ  ｏｎ）されて、前記エネルギー回収経路に貯蔵されたエネルギーをサステイン電極に供給する、
請求項２に記載のプラズマディスプレイ装置。
【請求項７】
前記スキャン電極にサステインパルスが印加される場合に、前記サステイン電極に基底電圧が供給される、
請求項１に記載のプラズマディスプレイ装置。
【請求項８】
前記サステイン電極にサステインパルスが印加される場合に、前記スキャン電極に基底電圧が供給される、
請求項１に記載のプラズマディスプレイ装置。
【請求項９】
前記第１エネルギー供給制御部は、第１整流素子を内部に持つ第１スイッチング素子を含み、
第２エネルギー供給制御部は、第２整流素子を内部に持つ第２スイッチング素子を含む、
請求項２に記載のプラズマディスプレイ装置。
【請求項１０】
前記エネルギー回収制御部は、第３整流素子を内部に持つ第３スイッチング素子を含む、
請求項３に記載のプラズマディスプレイ装置。
【請求項１１】
前記共通キャパシターは、サステイン電圧の略半分の電圧によるエネルギーを貯蔵する、
請求項３に記載のプラズマディスプレイ装置。
【請求項１２】
スキャン電極とサステイン電極とを含むプラズマディスプレイパネルと、
前記スキャン電極及び前記サステイン電極に共通してエネルギーを供給するとともに、前記スキャン電極及び前記サステイン電極から共通してエネルギーを回収するエネルギー回収部と、
前記エネルギー回収部を前記スキャン電極に連結する第１エネルギー供給制御部と、
前記エネルギー回収部を前記サステイン電極に連結する第２エネルギー供給制御部と、を備えた、
プラズマディスプレイ装置。
【請求項１３】
前記エネルギー回収部は、
エネルギー回収のために共振を遂行する共通インダクターと、
エネルギー回収を制御するエネルギー回収制御部と、
回収されたエネルギーを貯蔵する共通キャパシターと、
を有する、
請求項１２に記載のプラズマディスプレイ装置。
【請求項１４】
前記第１エネルギー供給制御部は、第１整流素子を内部に持つ第１スイッチング素子を含み、
第２エネルギー供給制御部は、第２整流素子を内部に持つ第２スイッチング素子を含む、
請求項１２に記載のプラズマディスプレイ装置。
【請求項１５】
前記エネルギー回収制御部は、第３整流素子を内部に持つ第３スイッチング素子を含む、
請求項１３に記載のプラズマディスプレイ装置。
【請求項１６】
エネルギー回収部の共通キャパシターに貯蔵されたエネルギーが、前記エネルギー回収部の共通インダクターを介して、スキャン電極に供給される第１段階と、
スキャン電圧源からスキャン電極にサステイン電圧が印加される第２段階と、
前記スキャン電極に印加された前記サステイン電圧によるエネルギーが、前記エネルギー回収部の共通インダクターを介して、回収されて、前記エネルギー回収部の共通キャパシターに貯蔵される第３段階と、
前記エネルギー回収部の前記共通キャパシターに貯蔵されたエネルギーが、前記エネルギー回収部の共通インダクターを介して、サステイン電極に供給される第４段階と、
を備えた、
プラズマディスプレイパネルの駆動方法。
【請求項１７】
前記第１段階では、前記エネルギー回収部の前記共通キャパシターに貯蔵されたエネルギーが、前記エネルギー回収部に含まれ整流素子を内部に持つスイッチング素子と、前記共通インダクターとを介して、前記スキャン電極に供給され、
前記第３段階では、前記スキャン電極に印加された前記サステイン電圧によるエネルギーが、前記共通インダクターと前記スイッチング素子とを介して、回収されて、前記エネルギー回収部の前記共通キャパシターに貯蔵され、
前記第４段階では、前記エネルギー回収部の前記共通キャパシターに貯蔵されたエネルギーが、前記スイッチング素子と前記共通インダクターとを介して、前記サステイン電極に供給される、
請求項１６に記載のプラズマディスプレイパネルの駆動方法。
【請求項１８】
前記第１段階では、前記エネルギー回収部の前記共通キャパシターに貯蔵されたエネルギーが、前記共通インダクターと、前記エネルギー回収部に含まれ前記共通インダクターと前記スキャン電極との間に設けられた第１エネルギー供給制御部とを介して、前記スキャン電極に供給される、
請求項１６に記載のプラズマディスプレイパネルの駆動方法。
【請求項１９】
前記第４段階では、前記エネルギー回収部の前記共通キャパシターに貯蔵されたエネルギーが、前記共通インダクターと、前記エネルギー回収部に含まれ前記共通インダクターと前記サステイン電極との間に設けられた第２エネルギー供給制御部とを介して、前記サステイン電極に供給される、
請求項１６に記載のプラズマディスプレイパネルの駆動方法。
【請求項２０】
前記第３段階では、サステイン電圧の略半分の電圧によるエネルギーが前記共通キャパシターに貯蔵される、
請求項１６に記載のプラズマディスプレイパネルの駆動方法。
【発明の詳細な説明】
【技術分野】
【０００１】
本発明は、プラズマディスプレイ装置に関し、より詳しくはサステイン放電のためのエネルギー回収回路を改善したプラズマディスプレイ装置（Ｐｌａｓｍａ  Ｄｉｓｐｌａｙ  Ａｐｐａｒａｔｕｓ）及びプラズマディスプレイパネルの駆動方法に関する。
【背景技術】
【０００２】
一般的にプラズマディスプレイパネルでは、前面パネルと背面パネルとの間に形成された隔壁に区切られた各セル内に、ネオン（Ｎｅ）、ヘリウム（Ｈｅ）あるいは、ネオン及びヘリウムの混合気体（Ｎｅ＋Ｈｅ）のような主放電気体と、少量のキセノンを含む不活性ガスとが充填されている。各セル内では、高周波電圧によって放電される際に不活性ガスが真空紫外線（Ｖａｃｕｕｍ  ＵｌｔｒａＶｉｏｌｅｔ  ｒａｙｓ）を発生するので、その紫外線により隔壁の間に形成された蛍光体が発光する。これにより、画像が実現される。このようなプラズマディスプレイパネルは、薄く軽い構成が可能なので、次世代表示装置として脚光を浴びている。
【０００３】
一般に、プラズマディスプレイパネルは、駆動されるための駆動装置に繋がれる。すなわち、プラズマディスプレイ装置１は、プラズマディスプレイパネルと、駆動装置とを備える。駆動装置は、プラズマディスプレイパネルを駆動する。ここで、プラズマディスプレイパネルの駆動装置は、サステイン期間にサステイン電圧（Ｖｓ）のパルスを印加する駆動部を含む。このような駆動部は、例えば、図１に示すようになる。
【０００４】
図１は、従来のプラズマディスプレイ装置１におけるプラズマディスプレイパネル及びそれを駆動する駆動装置を示す図である。
【０００５】
図１に示すように、従来のプラズマディスプレイ装置１は、主として、プラズマディスプレイパネル１０と駆動装置２０とを備える。プラズマディスプレイパネル１０は、主として、スキャン電極（Ｙ）、サステイン電極（Ｚ）及びキャパシター（Ｃｐ）を備える。駆動装置２０は、プラズマディスプレイパネル（Ｃｐ）のスキャン電極（Ｙ）とサステイン電極（Ｚ）とを駆動させる。このとき、駆動装置２０では、プラズマディスプレイパネル（Ｃｐ）で必要以上に発生するエネルギーすなわち無効電力が回収されるように、エネルギー回収回路３０（エネルギー回収第１回路３１，エネルギー回収第２回路３２）が使われている。エネルギー回収第１回路３１は、主として、ダイオードＤ１，ダイオードＤ２，ダイオードＤ５，ダイオードＤ６，Ｙ＿ＥＲ＿ＵＰスイッチ，Ｙ＿ＥＲ＿ＤＮスイッチ及び第１キャパシターＣｓ１を有する。エネルギー回収第２回路３２は、主として、ダイオードＤ３，ダイオードＤ４，ダイオードＤ７，ダイオードＤ８，Ｚ＿ＥＲ＿ＵＰスイッチ，Ｚ＿ＥＲ＿ＤＮスイッチ及び第２キャパシターＣｓ２を有する。
このような従来のプラズマディスプレイ装置における駆動装置による駆動方法を用いて、例えば、図２に示すような駆動波形のタイミング図が得られる。
【０００６】
すなわち、図２に示すように、第０区間（Ｔ０）から第４区間（Ｔ４）において、スキャン電極（Ｙ）が駆動されるように、Ｚ＿ＳＵＳ＿ＤＮスイッチ（図１参照）は、ターンオンされて、サステイン電極（Ｚ）が基底電位（グランド電位）に維持されるようにする。
【０００７】
一方、第１区間（Ｔ１）において、スキャン電極（Ｙ）にサステインパルスが印加されるための準備として、Ｙ＿ＥＲ＿ＵＰスイッチ（図１参照）がターンオンされるととともに、Ｙ＿ＥＲ＿ＵＰスイッチとＺ＿ＳＵＳ＿ＤＮスイッチとを除いた残りのスイッチはターンオフされる。そして、第１キャパシター（Ｃｓ１）により回収されて貯蔵されていた無効電力のエネルギーは、第1インダクター（Ｌ１）と、プラズマディスプレイパネルにおいてスキャン電極（Ｙ）及びサステイン電極（Ｚ）で形成されるキャパシター（Ｃｐ）との間の共振により、スキャン電極（Ｙ）に供給される。これにより、プラズマディスプレイパネルのキャパシター（Ｃｐ）が充電される。
【０００８】
次に、第２区間（Ｔ２）において、Ｙ＿ＥＲ＿ＵＰスイッチとＹ＿ＳＵＳ＿ＵＰスイッチとがターンオンされて、Ｙ＿ＥＲ＿ＵＰスイッチ、Ｙ＿ＳＵＳ＿ＵＰスイッチ及びＺ＿ＳＵＳ＿ＤＮスイッチを除いた残りのスイッチはターンオフされる。これによってプラズマディスプレイパネル（Ｃｐ）の電圧はサステイン電圧（Ｖｓ）になる。すなわち、第１区間（Ｔ１）が終わる時にＬＣ共振によってプラズマディスプレイパネル（Ｃｐ）の電圧が最大になる。すなわち、その瞬間に、プラズマディスプレイパネル（Ｃｐ）には、サステイン電圧（Ｖｓ）が印加される。ここで、サステイン電圧（Ｖｓ）は、サステイン期間の放電セルの放電を維持するための電圧を意味する。
【０００９】
そして、第３区間（Ｔ３）において、Ｙ＿ＥＲ＿ＤＮスイッチがターンオンされて、Ｙ＿ＥＲ＿ＤＮスイッチとＺ＿ＳＵＳ＿ＤＮスイッチを除いた残りのスイッチはターンオフされる。これによって、プラズマディスプレイパネル（Ｃｐ）に貯蔵されていたエネルギーがスキャン電極（Ｙ）及びＹ＿ＥＲ＿ＤＮスイッチを介して第１キャパシター（Ｃｓ１）へと放電される。すなわち、第１キャパシター（Ｃｓ１）にエネルギーが回収されて、プラズマディスプレイパネル（Ｃｐ）の電圧は降下する（スキャン電極Ｙの電位が降下する）。
【００１０】
さらに、第４区間（Ｔ４）において、Ｙ＿ＳＵＳ＿ＤＮスイッチがターンオンされて、Ｚ＿ＳＵＳ＿ＤＮスイッチも第４区間後半部までターンオンされた状態に維持される。また、Ｙ＿ＳＵＳ＿ＤＮスイッチとＺ＿ＳＵＳ＿ＤＮスイッチとを除いたスイッチはターンオフされる。これによって、プラズマディスプレイパネル（Ｃｐ）の電圧は基底電圧レベルになる（サステイン電極Ｚの電位が基底電位レベル（グランド電位レベル）に維持された状態で、スキャン電極Ｙの電位が基底電位レベル（グランド電位レベル）になる）。すなわち、第３区間（Ｔ３）が終わる瞬間から第４区間（Ｔ４）において、プラズマディスプレイパネル（Ｃｐ）における電極両端の電圧が基底電圧にされて、スキャン電極（Ｙ）が駆動される期間（Ｔ１〜Ｔ３）と、サステイン電極（Ｚ）が駆動される期間（Ｔ５〜Ｔ７）との間に休止期間が置かれる。
【００１１】
次に、図２に示すように、第４区間（Ｔ４）から第７区間（Ｔ７）において、または、第４区間（Ｔ４）から次の第０区間（Ｔ０)において、サステイン電極（Ｚ）にサステインパルスが印加されるに先だって、サステイン電極（Ｚ）が駆動されるように、Ｙ＿ＳＵＳ＿ＤＮスイッチ（図１参照）は、ターンオンされて、スキャン電極（Ｙ）が基底電位（グランド電位）に維持されるようにする。
【００１２】
その次に、第５区間（Ｔ５）において、Ｚ＿ＥＲ＿ＵＰスイッチがターンオンされて、Ｚ＿ＥＲ＿ＵＰスイッチとＹ＿ＳＵＳ＿ＤＮスイッチとを除いた残りのスイッチはターンオフされる。そして、第２キャパシター（Ｃｓ２）により回収されて貯蔵されていた無効電力のエネルギーは、第２インダクター（Ｌ２）と、プラズマディスプレイパネルにおいてスキャン電極（Ｙ）及びサステイン電極（Ｚ）で形成されるキャパシター（Ｃｐ）との間の共振により、サステイン電極（Ｚ）に供給される。これにより、プラズマディスプレイパネル（Ｃｐ）が充電される。
【００１３】
そして、第６区間（Ｔ６）において、Ｚ＿ＥＲ＿ＵＰスイッチとＺ＿ＳＵＳ＿ＵＰスイッチとがターンオンされて、Ｚ＿ＥＲ＿ＵＰスイッチ、Ｚ＿ＳＵＳ＿ＵＰスイッチ及びＹ＿ＳＵＳ＿ＤＮスイッチを除いた残りのスイッチはターンオフされる。これによってプラズマディスプレイパネル（Ｃｐ）の電圧はサステイン電圧（Ｖｓ）になる。すなわち、第５区間（Ｔ５）が終わる時にＬＣ共振によってプラズマディスプレイパネル（Ｃｐ）の電圧が最大になる。すなわち、その瞬間に、プラズマディスプレイパネル（Ｃｐ）には、サステイン電圧（Ｖｓ）が印加される。ここで、サステイン電圧（Ｖｓ）は、サステイン期間の放電セルの放電を維持するための電圧を意味する。
【００１４】
さらに、第７区間（Ｔ７）において、Ｚ＿ＥＲ＿ＤＮスイッチがターンオンされて、Ｚ＿ＥＲ＿ＤＮスイッチとＹ＿ＳＵＳ＿ＤＮスイッチを除いた残りのスイッチはターンオフされる。これによって、プラズマディスプレイパネル（Ｃｐ）に貯蔵されていたエネルギーがサステイン電極（Ｚ）及びＺ＿ＥＲ＿ＤＮスイッチを介して第２キャパシター（Ｃｓ２）へと放電される。すなわち、第２キャパシター（Ｃｓ２）にエネルギーが回収されて、プラズマディスプレイパネル（Ｃｐ）の電圧は降下する（サステイン電極Ｚの電位が降下する）。
【００１５】
そして、スキャン電極（Ｙ）が駆動される前の休止期間として、次の第０区間（Ｔ０）が始まる。この第０区間において、Ｚ＿ＳＵＳ＿ＤＮスイッチがターンオンされて、Ｙ＿ＳＵＳ＿ＤＮスイッチも第０区間後半部までターンオンされた状態に維持される。また、Ｚ＿ＳＵＳ＿ＤＮスイッチとＹ＿ＳＵＳ＿ＤＮスイッチとを除いたスイッチはターンオフされる。これによって、プラズマディスプレイパネル（Ｃｐ）の電圧は基底電圧レベルになる（スキャン電極Ｙの電位が基底電位レベル（グランド電位レベル）に維持された状態で、サステイン電極Ｚの電位が基底電位レベル（グランド電位レベル）になる）。すなわち、第７区間（Ｔ７）が終わる瞬間から第０区間（Ｔ０）において、プラズマディスプレイパネル（Ｃｐ）における電極両端の電圧が基底電圧にされて、サステイン電極（Ｚ）が駆動される期間（Ｔ５〜Ｔ７）と、次にスキャン電極（Ｙ）が駆動される期間（Ｔ１〜Ｔ３）との間に休止期間が置かれる。
【発明の開示】
【発明が解決しようとする課題】
【００１６】
上述のような動作が行われる従来のプラズマディスプレイ装置１では、図２の駆動波形のように正常な動作が行われるために、すなわち、波形のノイズが低減されるようにするために、整流作用をする素子が必要となる傾向にある。一例として、図１に示すように、サステインパルスが入力されるときの入力波形がサステイン電位レベル（Ｖｓ）または基底電位レベル（ＧＮＤ）に維持されるようにするために、４個のダイオード（Ｄ５、Ｄ６、Ｄ７、Ｄ８）が必要となることがある。これにより、製造費用が増大する傾向にある。
【００１７】
また、前述のエネルギー回収回路においてインダクター（Ｌ１、Ｌ２）とキャパシター（Ｃｐ）との間の共振が利用されてエネルギーがプラズマディスプレイパネル（Ｃｐ）に充放電される際に、インダクター（Ｌ１、Ｌ２）に流れる電流の方向が急に変わればインダクター（Ｌ１、Ｌ２）の両端に逆起電力が発生するようになる。このような逆起電力によってインダクター（Ｌ１、Ｌ２）とプラズマディスプレイパネル（Ｃｐ）との間の配線の電位がサステイン電圧レベル（Ｖｓ）より高くなれば、スイッチング素子（Ｙ＿ＥＲ＿ＵＰスイッチ，Ｙ＿ＥＲ＿ＤＮスイッチ，Ｚ＿ＥＲ＿ＵＰスイッチ，Ｚ＿ＥＲ＿ＤＮスイッチ）へ過電流が流れ込むことがあり、そのスイッチング素子が損傷するおそれがある。
【００１８】
これに対して、従来のプラズマディスプレイ装置１では、このような過電流を電源の方へ流してスイッチング素子の損傷を防止するための素子がさらに追加して設置される傾向にある。例えば、図１に示すように、スイッチング素子の損傷を防止するために、４個のダイオード（Ｄ１、Ｄ２、Ｄ３、Ｄ４）が追加して設置されることがある。これにより、製造費用が増大する傾向にある。
【００１９】
このように、従来のプラズマディスプレイ装置１では、正常な回路動作のために（駆動装置の動作の安全性を確保するために）それぞれの役目をする素子が個別的に追加される傾向にある。また、従来のプラズマディスプレイ装置１では、スキャン電極（Ｙ）とサステイン電極（Ｚ）とを駆動するためのスイチング素子が電極別に個別的に必要となることがあり、素子の個数が増加する傾向にある。素子の個数が多くなれば、駆動装置の製造費用が上昇するおそれがある。
【００２０】
本発明の目的は、駆動装置の動作の安全性を確保するとともに、製造費用を節減することができるプラズマディスプレイ装置及びプラズマディスプレイパネルの駆動方法を提供することにある。
【課題を解決するための手段】
【００２１】
第１発明に係るプラズマディスプレイ装置は、プラズマディスプレイパネルと、駆動部とを備える。プラズマディスプレイパネルは、スキャン電極とサステイン電極とを有する。駆動部は、エネルギー回収経路を有する。エネルギー回収経路は、スキャン電極及びサステイン電極に共通してエネルギーを供給するとともに、スキャン電極及びサステイン電極から共通してエネルギーを回収する。
このプラズマディスプレイ装置では、エネルギー回収経路は、スキャン電極及びサステイン電極に共通してエネルギーを供給するとともに、スキャン電極及びサステイン電極から共通してエネルギーを回収する。これにより、駆動部において、スキャン電極及びサステイン電極にエネルギーを供給するための回路構成を簡略化することができ、スキャン電極及びサステイン電極からエネルギーを回収するための回路構成を簡略化することができる。さらに、駆動部において、スイッチング素子に流れ込む過電流を抑制するための回路構成を簡略化することができる。
このように、スイッチング素子に流れ込む過電流を抑制することができるとともに、駆動部の構成を簡略化することができる。このため、駆動部の動作の安全性を確保することができるとともに、製造費用を節減することができる。
第１２発明に係るプラズマディスプレイ装置は、プラズマディスプレイパネルと、エネルギー回収部と、第１エネルギー供給制御部と、第２エネルギー供給制御部とを備える。プラズマディスプレイパネルは、スキャン電極とサステイン電極とを含む。エネルギー回収部は、スキャン電極及びサステイン電極に共通してエネルギーを供給するとともに、スキャン電極及びサステイン電極から共通してエネルギーを回収する。第１エネルギー供給制御部は、エネルギー回収部をスキャン電極に連結する。第２エネルギー供給制御部は、エネルギー回収部をサステイン電極に連結する。
このプラズマディスプレイ装置では、エネルギー回収部は、スキャン電極及びサステイン電極に共通してエネルギーを供給するとともに、スキャン電極及びサステイン電極から共通してエネルギーを回収する。これにより、エネルギー回収部が含まれる駆動部において、スキャン電極及びサステイン電極にエネルギーを供給するための回路構成を簡略化することができ、スキャン電極及びサステイン電極からエネルギーを回収するための回路構成を簡略化することができる。さらに、駆動部において、スイッチング素子に流れ込む過電流を抑制するための回路構成を簡略化することができる。
このように、スイッチング素子に流れ込む過電流を抑制することができるとともに、駆動部の構成を簡略化することができる。このため、駆動部の動作の安全性を確保することができるとともに、製造費用を節減することができる。
【００２２】
第１６発明に係るプラズマディスプレイパネルの駆動方法は、第１段階と、第２段階と、第３段階と、第４段階とを備える。第１段階では、エネルギー回収部の共通キャパシターに貯蔵されたエネルギーが、エネルギー回収部の共通インダクターを介して、スキャン電極に供給される。第２段階では、スキャン電圧源からスキャン電極にサステイン電圧が印加される。第３段階では、スキャン電極に印加されたサステイン電圧によるエネルギーが、エネルギー回収部の共通インダクターを介して、回収されて、エネルギー回収部の共通キャパシターに貯蔵される。第４段階では、エネルギー回収部の共通キャパシターに貯蔵されたエネルギーが、エネルギー回収部の共通インダクターを介して、サステイン電極に供給される。
【００２３】
このプラズマディスプレイパネルの駆動方法では、第１段階において、エネルギー回収部の共通キャパシターに貯蔵されたエネルギーが、エネルギー回収部の共通インダクターを介して、スキャン電極に供給される。第４段階において、エネルギー回収部の共通キャパシターに貯蔵されたエネルギーが、エネルギー回収部の共通インダクターを介して、サステイン電極に供給される。すなわち、エネルギー回収経路が、スキャン電極及びサステイン電極に共通してエネルギーを供給するようになっている。
また、第３段階において、スキャン電極に印加されたサステイン電圧によるエネルギーが、エネルギー回収部の共通インダクターを介して、回収されて、エネルギー回収部の共通キャパシターに貯蔵される。すなわち、エネルギー回収経路が、スキャン電極及びサステイン電極から共通してエネルギーを回収するようになっている。
これらにより、エネルギー回収部が含まれる駆動部において、スキャン電極及びサステイン電極にエネルギーを供給するための回路構成を簡略化することができ、スキャン電極及びサステイン電極からエネルギーを回収するための回路構成を簡略化することができる。さらに、駆動部において、スイッチング素子に流れ込む過電流を抑制するための回路構成を簡略化することができる。
このように、スイッチング素子に流れ込む過電流を抑制することができるとともに、駆動部の構成を簡略化することができる。このため、駆動部の動作の安全性を確保することができるとともに、製造費用を節減することができる。
【００２４】
第２発明に係るプラズマディスプレイ装置は、第１発明のプラズマディスプレイ装置であって、駆動部は、第１エネルギー供給制御部と、第２エネルギー供給制御部とをさらに有する。第１エネルギー供給制御部は、エネルギー回収経路をスキャン電極に連結する。第２エネルギー供給制御部は、エネルギー回収経路をサステイン電極に連結する。
【００２５】
第３発明に係るプラズマディスプレイ装置は、第１発明のプラズマディスプレイ装置であって、エネルギー回収経路は、共通インダクターと、エネルギー回収制御部と、共通キャパシターとを含む。共通インダクターは、エネルギー回収のために共振を遂行する。エネルギー回収制御部は、エネルギー回収のためのスイチング動作を遂行する。共通キャパシターは、回収されたエネルギーを貯蔵する。
【００２６】
第４発明に係るプラズマディスプレイ装置は、第１発明のプラズマディスプレイ装置であって、エネルギー回収経路は、過電流遮断部をさらに含む。過電流遮断部は、エネルギーをプラズマディスプレイパネルに供給する場合、サステイン電圧レベルを維持するようにする。
【００２７】
第５発明に係るプラズマディスプレイ装置は、第２発明のプラズマディスプレイ装置であって、第１エネルギー供給制御部は、スキャン電極が駆動される時に、ターンオン（ｔｕｒｎ  ｏｎ）されて、エネルギー回収経路に貯蔵されたエネルギーをスキャン電極に供給する。
【００２８】
第６発明に係るプラズマディスプレイ装置は、第２発明のプラズマディスプレイ装置であって、第２エネルギー供給制御部は、サステイン電極が駆動される時に、ターンオン（ｔｕｒｎ  ｏｎ）されて、エネルギー回収経路に貯蔵されたエネルギーをサステイン電極に供給する。
【００２９】
第７発明に係るプラズマディスプレイ装置は、第１発明のプラズマディスプレイ装置であって、スキャン電極にサステインパルスが印加される場合に、サステイン電極に基底電圧が供給される。
【００３０】
第８発明に係るプラズマディスプレイ装置は、第１発明のプラズマディスプレイ装置であって、サステイン電極にサステインパルスが印加される場合に、スキャン電極に基底電圧が供給される。
【００３１】
第９発明に係るプラズマディスプレイ装置は、第２発明のプラズマディスプレイ装置であって、第１エネルギー供給制御部は、第１整流素子と第１スイッチング素子とを含む。第２エネルギー供給制御部は、第２整流素子と第２スイッチング素子とを含む。
【００３２】
第１０発明に係るプラズマディスプレイ装置は、第３発明のプラズマディスプレイ装置であって、エネルギー回収制御部は、第３整流素子と第３スイッチング素子とを含む。
【００３３】
第１１発明に係るプラズマディスプレイ装置は、第３発明のプラズマディスプレイ装置であって、共通キャパシターは、サステイン電圧の略半分の電圧によるエネルギーを貯蔵する。
【００３４】
第１３発明に係るプラズマディスプレイ装置は、第１２発明のプラズマディスプレイ装置であって、エネルギー回収部は、共通インダクターと、エネルギー回収制御部と、共通キャパシターとを有する。共通インダクターは、エネルギー回収のために共振を遂行する。エネルギー回収制御部は、エネルギー回収を制御する。共通キャパシターは、回収されたエネルギーを貯蔵する。
【００３５】
第１４発明に係るプラズマディスプレイ装置は、第１２発明のプラズマディスプレイ装置であって、第１エネルギー供給制御部は、第１整流素子と第１スイッチング素子とを含む。第２エネルギー供給制御部は、第２整流素子と第２スイッチング素子とを含む。
【００３６】
第１５発明に係るプラズマディスプレイ装置は、第１３発明のプラズマディスプレイ装置であって、エネルギー回収制御部は、第３整流素子と第３スイッチング素子とを含む。
【００３７】
第１７発明に係るプラズマディスプレイパネルの駆動方法は、第１６発明のプラズマディスプレイパネルの駆動方法であって、第１段階では、エネルギー回収部の共通キャパシターに貯蔵されたエネルギーが、スイッチング素子と共通インダクターとを介して、スキャン電極に供給される。スイッチング素子は、エネルギー回収部に含まれている。スイッチング素子は、整流素子を内部に持つ。第３段階では、スキャン電極に印加されたサステイン電圧によるエネルギーが、共通インダクターとスイッチング素子とを介して、回収されて、エネルギー回収部の共通キャパシターに貯蔵される。第４段階では、エネルギー回収部の共通キャパシターに貯蔵されたエネルギーが、スイッチング素子と共通インダクターとを介して、サステイン電極に供給される。
【００３８】
第１８発明に係るプラズマディスプレイパネルの駆動方法は、第１６発明のプラズマディスプレイパネルの駆動方法であって、第１段階では、エネルギー回収部の共通キャパシターに貯蔵されたエネルギーが、共通インダクターと第１エネルギー供給制御部とを介して、スキャン電極に供給される。第１エネルギー供給制御部は、エネルギー回収部に含まれている。第１エネルギー供給制御部は、共通インダクターとスキャン電極との間に設けられている。
【００３９】
第１９発明に係るプラズマディスプレイパネルの駆動方法は、第１６発明のプラズマディスプレイパネルの駆動方法であって、第４段階では、エネルギー回収部の共通キャパシターに貯蔵されたエネルギーが、共通インダクターと第２エネルギー供給制御部とを介して、前記サステイン電極に供給される。第２エネルギー供給制御部は、エネルギー回収部に含まれている。第２エネルギー供給制御部は、共通インダクターとサステイン電極との間に設けられている。
【００４０】
第２０発明に係るプラズマディスプレイパネルの駆動方法は、第１６発明のプラズマディスプレイパネルの駆動方法であって、第３段階では、サステイン電圧の略半分の電圧によるエネルギーが共通キャパシターに貯蔵される。
【発明の効果】
【００４１】
第１発明に係るプラズマディスプレイ装置では、スイッチング素子に流れ込む過電流を抑制することができるとともに、駆動部の構成を簡略化することができる。このため、駆動回路の動作の安全性を確保することができるとともに、製造費用を節減することができる。
第１２発明に係るプラズマディスプレイ装置では、スイッチング素子に流れ込む過電流を抑制することができるとともに、駆動部の構成を簡略化することができる。このため、駆動部の動作の安全性を確保することができるとともに、製造費用を節減することができる。
第１６発明に係るプラズマディスプレイパネルの駆動方法では、スイッチング素子に流れ込む過電流を抑制することができるとともに、駆動部の構成を簡略化することができる。このため、駆動部の動作の安全性を確保することができるとともに、製造費用を節減することができる。
【発明を実施するための最良の形態】
【００４２】
以下では本発明による具体的な実施形態を、添付された図面を参照して説明する。
【００４３】
先ず、本発明のプラズマディスプレイ装置におけるプラズマディスプレイパネルの駆動装置により得られる駆動波形に対する明確な理解を助けるために、プラズマディスプレイ装置の駆動波形の一例を詳細に説明する。
【００４４】
図３は、本発明のプラズマディスプレイ装置におけるプラズマディスプレイパネルの駆動装置によって得られる駆動波形を示す図である。
【００４５】
図３に示すように、プラズマディスプレイ装置１００（図４参照）におけるプラズマディスプレイパネル（Ｃｐ）は、すべてのセルを初期化させるためのリセット期間、放電するセルを選択するためのアドレス期間、選択されたセルの放電を維持させるためのサステイン期間、及び放電したセル内の壁電荷を消去するための消去期間に分けられて駆動される。
【００４６】
リセット期間は、セットアップ期間とセッダウン期間とを含む。リセット期間のセットアップ期間において、すべてのスキャン電極（Ｙ１〜Ｙｍ）に上昇ランプ波形（Ｒａｍｐ−ｕｐ）が同時に印加される。この上昇ランプ波形によって全画面の放電セル内には弱い暗放電（Ｄａｒｋ  Ｄｉｓｃｈａｒｇｅ）すなわちセットアップ放電が起きる。このセットアップ放電によって、アドレス電極（Ｘ１〜Ｘｎ）とサステイン電極（Ｚ）との上には正極性の壁電荷が積もるようになって、スキャン電極（Ｙ１〜Ｙｍ）の上には負極性の壁電荷が積もるようになる。
【００４７】
リセット期間のセッダウン期間において、上昇ランプ波形が供給された後のタイミングから上昇ランプ波形のピーク電圧より低い正極性の電圧へ落ち始めてグラウンド（ＧＮＤ）レベル電圧以下の特定電圧レベルまで落ちる下降ランプ波形（Ｒａｍｐ−ｄｏｗｎ）がすべてのスキャン電極（Ｙ１〜Ｙｍ）に同時に印加される。この下降ランプ波形によって放電セル内に微弱な消去放電すなわちセッダウン放電が起きる。このセッダウン放電により、スキャン電極（Ｙ１〜Ｙｍ）に過度に形成された壁電荷が充分に消去されるようになる。これにより、アドレス放電が安定して発生するように、壁電荷がセル内に均一に残留するようになる。
【００４８】
アドレス期間において、負極性スキャンパルス（−Ｖｙ）がスキャン電極（Ｙ１〜Ｙｍ）に順に印加されると共に、スキャンパルスに同期してアドレス電極（Ｘ１〜Ｘｎ）に正極性のデータパルスが印加される。このスキャンパルスとデータパルスとの電位差と、リセット期間に生成された壁電圧とが加わりながら、データパルスが印加される放電セル内にアドレス放電が発生する。アドレス放電によって選択されたセル内には、後にサステイン電圧（Ｖｓ）が印加される時に放電が起きるのに十分な壁電荷が形成される。
一方、リセット期間のセッダウン期間からアドレス期間において、または、アドレス期間において、サステイン電極（Ｚ）には、スキャン電極（Ｙ１〜Ｙｍ）との電位差を減らしてスキャン電極（Ｙ１〜Ｙｍ）との間で誤放電が起きないように、正極性の電圧（Ｖｚ）が供給される。
【００４９】
サステイン期間において、スキャン電極（Ｙ１〜Ｙｍ）とサステイン電極（Ｚ）とに交互にサステインパルス（Ｓｕｓ）が印加される。アドレス放電によって選択された放電セルでは、サステインパルスが印加される度に、壁電圧とサステインパルスとが加わり、スキャン電極（Ｙ１〜Ｙｍ）とサステイン電極（Ｚ）との間にサステイン放電すなわち表示放電が発生するようになる。
消去期間において、サステイン放電が完了した後に、パルス幅と電圧レベルとが小さな消去ランプ波形（Ｒａｍｐ−ｅｒｓ）の電圧がサステイン電極（Ｚ）に供給されて、全画面の放電セル内に残留している壁電荷が消去される。
【００５０】
このような駆動波形が得られる本発明のプラズマディスプレイ装置は、サステイン期間に印加されるサステインパルス（ｓｕｓ）を駆動させる駆動装置の構成に特徴がある。このような本発明のプラズマディスプレイパネルのサステイン放電のための駆動装置の一例は、例えば、図４に示すようになる。
【００５１】
図４は、本発明のプラズマディスプレイパネルの駆動装置の一例を示す図である。
【００５２】
図４に示すように、本発明によるプラズマディスプレイ装置１００は、主として、プラズマディスプレイパネル１１０と駆動装置１２０とを備える。プラズマディスプレイパネル１１０は、主として、アドレス電極（Ｘ１〜Ｘｎ）、スキャン電極（Ｙ１〜Ｙｍ）、サステイン電極（Ｚ）及びキャパシターＣｐを備える。キャパシターＣｐは、スキャン電極（Ｙ１〜Ｙｍ）と、サステイン電極（Ｚ）とで形成される。サステイン放電のための駆動装置１２０は、プラズマディスプレイパネル１１０におけるスキャン電極（Ｙ）とサステイン電極（Ｚ）とを駆動させる。この時、プラズマディスプレイパネル１１０内で必要以上に発生するエネルギーすなわち無効電力を回収するために、エネルギー回収回路１３０が使われている。
【００５３】
このような本発明におけるプラズマディスプレイパネル１１０の駆動装置１２０の一例は、プラズマディスプレイパネル（Ｃｐ）にエネルギーを供給して回収するエネルギー回収回路１３０を含む。エネルギー回収回路１３０は、主として、共通エネルギー貯蔵部４００、共通インダクター部４１０、エネルギー回収制御部４２０、第１エネルギー供給制御部４３０、第２エネルギー供給制御部４４０、第１パルス供給制御部４５０及び第２パルス供給制御部４６０を含む。
【００５４】
共通エネルギー貯蔵部４００は、サステイン放電に必要なエネルギーが貯蔵された供給及び回収用キャパシター（Ｃｓ）を含む。供給及び回収用キャパシター（Ｃｓ）の一端は、グラウンド（ＧＮＤ）に接続されて、他端は、エネルギー回収制御部４２０の一端と繋がれる。ここで、供給及び回収用キャパシター（Ｃｓ）には、サステイン電圧（Ｖｓ）の半分の電圧（Ｖｓ／２）によるエネルギーが貯蔵されるようになっていることがさらに望ましい。
【００５５】
また、従来のプラズマディスプレイ装置１（図１参照）と異なる点として、本発明のプラズマディスプレイ装置１００は、エネルギー貯蔵部４００の供給及び回収用キャパシター（Ｃｓ）がスキャン電極（Ｙ）とサステイン電極（Ｚ）とに共通で使われる点が挙げられる。すなわち、供給及び回収用キャパシター（Ｃｓ）では、スキャン電極（Ｙ）が駆動されるときにはスキャン電極（Ｙ）を介してプラズマディスプレイパネル（Ｃｐ）のエネルギーが回収されたりプラズマディスプレイパネル（Ｃｐ）へエネルギーが供給されたりし、サステイン電極（Ｚ）が駆動されるときはサステイン電極（Ｚ）を介してプラズマディスプレイパネル（Ｃｐ）のエネルギーが回収されたりプラズマディスプレイパネル（Ｃｐ）へエネルギーが供給されたりする。
【００５６】
エネルギー回収制御部４２０は、ＥＲ＿ＤＮスイチング素子を含む。ＥＲ＿ＤＮスイチング素子の一端は前述の共通エネルギー貯蔵部４００と繋がれて、他端は共通インダクター部４１０の他端に繋がれる。また、ＥＲ＿ＤＮスイチング素子がターンオンされれば、サステイン放電の際に無効電力の電圧成分が共通エネルギー貯蔵部４００の供給及び回収用キャパシター(Cs)に回収される。
【００５７】
ここで、従来のプラズマディスプレイ装置１（図１参照）と異なる点として、本発明のプラズマディスプレイ装置１００では、エネルギー回収制御部４２０において、ＥＲ＿ＤＮスイチング素子がスキャン電極（Ｙ）とサステイン電極（Ｚ）とに共通で使われる点が挙げられる。すなわち、ＥＲ＿ＤＮスイチング素子は、スキャン電極（Ｙ）が駆動される時に、スキャン電極（Ｙ）を介してプラズマディスプレイパネル（Ｃｐ）のエネルギーが供給及び回収用キャパシター（Ｃｓ）に回収されるように制御する。また、ＥＲ＿ＤＮスイチング素子は、サステイン電極（Ｚ）が駆動される時に、サステイン電極（Ｚ）を介してプラズマディスプレイパネル（Ｃｐ）のエネルギーが供給及び回収用キャパシター（Ｃｓ）に回収されるように制御する。
【００５８】
また、従来のプラズマディスプレイ装置１（図１参照）と異なる点として、本発明のプラズマディスプレイ装置１００では、エネルギー回収制御部４２０において別に整流作用をするダイオードが追加されなくても、ＥＲ＿ＤＮスイチング素子の内部ダイオードを介して、供給及び回収用キャパシター（Ｃｓ）からエネルギー回収制御部４２０を経由してプラズマディスプレイパネル（Ｃｐ）へ流れる電流の整流作用が実現できるようになっている点が挙げられる。また、ＥＲ＿ＤＮスイチング素子が電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。
【００５９】
共通インダクター部４１０は、一端が、第１エネルギー供給制御部４３０の他端及び第２エネルギー供給制御部４４０の他端に分岐するように連結されて、他端が、前述のエネルギー回収制御部４２０の他端と繋がれている。すなわち、プラズマディスプレイパネル（Ｃｐ）と共通インダクター部４１０とを用いて、直列ＬＣ共振回路が形成されている。したがって、共通エネルギー貯蔵部４００に貯蔵されたエネルギーが第１エネルギー供給制御部４３０または第２エネルギー供給制御部４４０によってプラズマディスプレイパネル（Ｃｐ）に供給される時、プラズマディスプレイパネル（Ｃｐ）は共通インダクター部４１０を経由して供給される共振波形により充電され始めてサステイン電圧（Ｖｓ）まで充電される。また、プラズマディスプレイパネル（Ｃｐ）のエネルギーが共通エネルギー貯蔵部４００に回収される時、エネルギー回収制御部４２０のＥＲ＿ＤＮスイチング素子がターンオンされることによって、無効電力回収経路が形成される。したがって、共通エネルギー貯蔵部４００は、共通インダクター部４１０を経由して回収される無効電力の電圧成分でエネルギーが充電される。
【００６０】
ここで、共通インダクター部４１０は、前述の共通エネルギー貯蔵部４００とエネルギー回収制御部４２０と同様に、スキャン電極（Ｙ）とサステイン電極（Ｚ）とに共通で使われている。
【００６１】
第１エネルギー供給制御部４３０は、Ｙ＿ＥＲ＿ＵＰスイチング素子を含む。Ｙ＿ＥＲ＿ＵＰスイチング素子の一端は、スキャン電極（Ｙ）と、第１パルス供給制御部４５０の第1サステイン電圧印加部４５１及び第１基底電圧供給制御部４５２とに分岐するように連結されている。Ｙ＿ＥＲ＿ＵＰスイチング素子の他端は、前述の共通インダクター部４１０の一端と、前述の第２エネルギー供給制御部４４０の他端とに分岐するように連結される。Ｙ＿ＥＲ＿ＵＰスイチング素子は、スキャン電極（Ｙ）が駆動される時にターンオン（Ｔｕｒｎ  ｏｎ）されて、共通エネルギー貯蔵部４００の供給及び回収用キャパシター（Ｃｓ）に貯蔵されていたエネルギーがスキャン電極（Ｙ）を介してプラズマディスプレイパネル（Ｃｐ）に供給されるようにする。
【００６２】
また、従来のプラズマディスプレイ装置１（図１参照）と異なる点として、本発明のプラズマディスプレイ装置１００では、第１エネルギー供給制御部４３０において別に整流作用をするダイオードが追加されなくてもＹ＿ＥＲ＿ＵＰスイチング素子の内部ダイオードを介して、プラズマディスプレイパネル（Ｃｐ）から第１エネルギー供給制御部４３０を経由して供給及び回収用キャパシター（Ｃｓ）へ流れる電流の整流作用が実現できるようになっている点が挙げられる。また、Ｙ＿ＥＲ＿ＵＰスイチング素子が電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。
【００６３】
第２エネルギー供給制御部４４０は、Ｚ＿ＥＲ＿ＵＰスイチング素子を含む。Ｚ＿ＥＲ＿ＵＰスイチング素子の一端は、サステイン電極（Ｚ）と、第２パルス供給制御部４６０の第２サステイン電圧印加部４６１及び第２基底電圧供給制御部４６２とに分岐するように連結される。Ｚ＿ＥＲ＿ＵＰスイチング素子の他端は、前述の共通インダクター部４１０の一端と、前述の第１エネルギー供給制御部４３０の他端とに分岐するように連結される。Ｚ＿ＥＲ＿ＵＰスイチング素子は、サステイン電極（Ｚ）が駆動される時にターンオン（Ｔｕｒｎ  ｏｎ）されて、共通エネルギー貯蔵部４００の供給及び回収用キャパシター（Ｃｓ）に貯蔵されていたエネルギーがサステイン電極（Ｚ）を介してプラズマディスプレイパネル（Ｃｐ）に供給されるようにする。
【００６４】
また、従来のプラズマディスプレイ装置１（図１参照）と異なる点として、本発明のプラズマディスプレイ装置１００では、第２エネルギー供給制御部４４０において別に整流作用をするダイオードが追加されなくてもＺ＿ＥＲ＿ＵＰスイチング素子の内部ダイオードを介して、プラズマディスプレイパネル（Ｃｐ）から第２エネルギー供給制御部４４０を経由して供給及び回収用キャパシター（Ｃｓ）へ流れる電流の整流作用が実現できるようになっている点が挙げられる。また、Ｚ＿ＥＲ＿ＵＰスイチング素子が電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。
【００６５】
第１パルス供給制御部４５０は、主として、第１サステイン電圧印加部４５１と第１基底電圧供給制御部４５２とを含む
【００６６】
第１サステイン電圧印加部４５１は、Ｙ＿ＳＵＳ＿ＵＰスイチング素子を含む。Ｙ＿ＳＵＳ＿ＵＰスイチング素子の一端は、サステイン電圧（Ｖｓ）を供給する電圧源と繋がれている。Ｙ＿ＳＵＳ＿ＵＰスイチング素子の他端は、前述の第１エネルギー供給制御部４３０の一端と、スキャン電極（Ｙ）と、第１基底電圧供給制御部４５２の他端とに分岐するように連結される。第１サステイン電圧印加部４５１のＹ＿ＳＵＳ＿ＵＰスイチング素子は、スキャン電極（Ｙ）が駆動されてプラズマディスプレイパネル（Ｃｐ）に充電されるエネルギーがサステイン電圧（Ｖｓ）になった時に、ターンオンされて、プラズマディスプレイパネル（Ｃｐ）がサステイン電圧（Ｖｓ）に維持されるようにする。
【００６７】
第１基底電圧供給制御部４５２は、Ｙ＿ＳＵＳ＿ＤＮスイチング素子を含む。Ｙ＿ＳＵＳ＿ＤＮスイチング素子の一端は、グラウンド（ＧＮＤ）と接続されている。Ｙ＿ＳＵＳ＿ＤＮスイチング素子の他端は、前述の第１サステイン電圧印加部４５１の他端と、スキャン電極（Ｙ）と、前述の第１エネルギー供給制御部４３０の一端とに分岐するように連結される。第１基底電圧供給制御部４５２のＹ＿ＳＵＳ＿ＤＮスイチング素子は、スキャン電極（Ｙ）が駆動されて、共通エネルギー貯蔵部４００にエネルギー（電圧）がＶｓ／２まで充電された後に、ターンオンされて、プラズマディスプレイパネル（Ｃｐ）の電極両端の電圧が基底電圧の電圧値（０Ｖ）に維持されるようにする。また、Ｙ＿ＳＵＳ＿ＤＮスイチング素子は、サステイン電極（Ｚ）が駆動される時にも、ターンオンされて、スキャン電極（Ｙ）が基底電圧（ＧＮＤ）に維持されるようにする。
【００６８】
第２パルス供給制御部４６０は、主として、第２サステイン電圧印加部６６１と第２基底電圧供給制御部４６２とを含む。
【００６９】
第２サステイン電圧印加部４６１は、Ｚ＿ＳＵＳ＿ＵＰスイチング素子を含む。Ｚ＿ＳＵＳ＿ＵＰスイチング素子の一端は、サステイン電圧（Ｖｓ）を供給する電圧源と繋がれている。Ｚ＿ＳＵＳ＿ＵＰスイチング素子の他端は、前述の第２エネルギー供給制御部４４０の一端と、サステイン電極（Ｚ）と、第２基底電圧供給制御部４６２の他端とに分岐するように連結される。第２サステイン電圧印加部４６１のＺ＿ＳＵＳ＿ＵＰスイチング素子は、サステイン電極（Ｚ）が駆動されてプラズマディスプレイパネル（Ｃｐ）に充電されるエネルギーがサステイン電圧（Ｖｓ）になった時に、ターンオンされて、プラズマディスプレイパネル（Ｃｐ）がサステイン電圧（Ｖｓ）に維持されるようにする。
【００７０】
第２基底電圧供給制御部４６２は、Ｚ＿ＳＵＳ＿ＤＮスイチング素子を含む。Ｚ＿ＳＵＳ＿ＤＮスイチング素子の一端は、グラウンド（ＧＮＤ）と接続されている。Ｚ＿ＳＵＳ＿ＤＮスイチング素子の他端は、前述の第２サステイン電圧印加部４６１の他端と、サステイン電極（Ｚ）と、前述の第２エネルギー供給制御部４４０の一端とに分岐するように連結される。第２基底電圧供給制御部４６２のＺ＿ＳＵＳ＿ＤＮスイチング素子は、サステイン電極（Ｚ）が駆動されて、共通エネルギー貯蔵部４００にエネルギー（電圧）がＶｓ／２まで充電された後に、ターンオンされて、プラズマディスプレイパネル（Ｃｐ）は基底電圧源（ＧＮＤ）が供給する基底電圧の電圧値（０Ｖ）を維持するようにする。また、Ｚ＿ＳＵＳ＿ＤＮスイチング素子は、スキャン電極（Ｙ）が駆動される時にも、ターンオンされて、サステイン電極（Ｚ）が基底電圧（ＧＮＤ）に維持されるようにする。
【００７１】
また、このような本発明のプラズマディスプレイ装置１００においてプラズマディスプレイパネルを駆動させるための駆動装置１２０には、望ましくはサステイン電圧レベル（Ｖｓ）を維持するようにする過電流遮断部４７０がさらに含まれていてもよい。このような過電流遮断部４７０は、前述のインダクター部４１０の一端及び他端のいずれかに繋がれていても良いし、一端及び他端の両方に繋がれていても良い。このような過電流遮断部４７０は、インダクター部４１０に流れる電流の方向が急に変わったときにインダクター部４１０の両端に逆起電力が発生した場合でも、過電位を制御してサステイン電圧レベル（Ｖｓ）を維持させる役目をする（スイッチング素子（Ｙ＿ＥＲ＿ＵＰスイチング素子，Ｚ＿ＥＲ＿ＵＰスイチング素子，ＥＲ＿ＤＮスイチング素子）に過電流が流れることを抑制して、スイッチング素子の損傷を防ぐ役目をする）。これによって回路動作の安全性が確保される。
【００７２】
このような本発明によるプラズマディスプレイパネルの駆動装置の一例における駆動方法による得られる駆動波形のタイミング図を、図５を参照して説明する。また、その駆動方法が行われた場合にエネルギーが供給される経路を、図６〜図１３を参照して説明する。これらにより、本発明のプラズマディスプレイ装置におけるプラズマディスプレイパネルの駆動方法を明確にする。
【００７３】
図５は、本発明のプラズマディスプレイパネルの駆動装置によって得られる駆動波形のタイミング図である。
【００７４】
図６〜図１３は、本発明におけるプラズマディスプレイパネルの駆動方法が行われた場合にエネルギーが供給される経路を示す図である。便宜的にターンオンされるスイッチは実線で示し、ターンオフされるスイッチは点線で示している。
【００７５】
まず、図５に示すように、第０区間（Ｔ０）から第４区間（Ｔ４）において、スキャン電極（Ｙ）が駆動されるように、Ｚ＿ＳＵＳ＿ＤＮスイッチ（図６参照）は、ターンオンされて、サステイン電極（Ｚ）が基底電位（グランド電位）に維持されるようにする。
【００７６】
一方、第１区間（Ｔ１）において、スキャン電極（Ｙ）にサステインパルスが印加されるための準備として、図６に示すように、Ｙ＿ＥＲ＿ＵＰスイッチがターンオンされるととともに、Ｙ＿ＥＲ＿ＵＰスイッチとＺ＿ＳＵＳ＿ＤＮスイッチとを除いた残りのスイッチはターンオフされる。そして、スキャン電極（Ｙ）とサステイン電極（Ｚ）とに共通で使われる供給及び回収用キャパシター（Ｃｓ）により回収されて貯蔵されていた無効電力のエネルギーは、インダクター（Ｌ）とプラズマディスプレイパネルにおいてスキャン電極（Ｙ）及びサステイン電極（Ｚ）で形成されるキャパシター（Ｃｐ）との間の共振により、スキャン電極（Ｙ）に供給される。これにより、プラズマディスプレイパネルのキャパシター（Ｃｐ）が充電される。
ここで、インダクター（Ｌ）も、前述のエネルギー供給回収用キャパシター（Ｃｓ）と同様に、スキャン電極（Ｙ）とサステイン電極（Ｚ）とに共通で使われることにより、その個数が減らされている。
【００７７】
また、ここで、ＥＲ＿ＤＮスイッチ（図６参照）の内部ダイオードにより、供給及び回収用キャパシター（Ｃｓ）からＥＲ＿ＤＮスイッチを経由してプラズマディスプレイパネル（Ｃｐ）へ流れる電流（図６に破線の矢印で示す）の整流作用が実現されている。これにより、プラズマディスプレイ装置１００では、整流作用をするダイオードが別途追加されなくても回路動作の安全性が確保されており、素子の個数を節約して製造費用を節減することができるようになっている。
また、ＥＲ＿ＤＮスイッチが電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。このため、回路動作の安全性がさらに確実に確保される。
【００７８】
次に、第２区間（Ｔ２）において、図７に示すように、Ｙ＿ＳＵＳ＿ＵＰスイッチがターンオンされて、スキャン電極（Ｙ）の駆動波形がサステイン電位（Ｖｓ）に維持されればＹ＿ＥＲ＿ＵＰスイッチがターンオフされる。また、Ｙ＿ＳＵＳ＿ＵＰスイッチ及びＺ＿ＳＵＳ＿ＤＮスイッチを除いた残りのスイッチはターンオフされる。これによって、プラズマディスプレイパネル（Ｃｐ）の電圧はサステイン電圧（Ｖｓ）になる。すなわち、第１区間（Ｔ１）が終わる時にＬＣ共振によってプラズマディスプレイパネル（Ｃｐ）の電圧が最大になる。すなわち、その瞬間に、プラズマディスプレイパネル（Ｃｐ）には、サステイン電圧（Ｖｓ）が印加される。ここで、サステイン電圧（Ｖｓ）は、サステイン期間の放電セルの放電を維持するための電圧を意味する。
【００７９】
そして、第３区間（Ｔ３）において、図８に示すように、ＥＲ＿ＤＮスイッチがターンオンされてＥＲ＿ＤＮスイッチとＺ＿ＳＵＳ＿ＤＮスイッチを除いた残りのスイッチはターンオフされる。これによって、プラズマディスプレイパネル（Ｃｐ）に貯蔵されていたエネルギーがスキャン電極（Ｙ）及びＥＲ＿ＤＮスイッチを介して供給及び回収用キャパシター（Ｃｓ）へと放電される。すなわち、供給及び回収用キャパシター（Ｃｓ）にエネルギーが回収されて、プラズマディスプレイパネル（Ｃｐ）の電圧は降下する（スキャン電極Ｙの電位が降下する）。
ここで、本発明のプラズマディスプレイ装置１００では、ＥＲ＿ＤＮスイッチがスキャン電極（Ｙ）とサステイン電極（Ｚ）とに共通で使われているので、素子の個数が減らされている。
【００８０】
また、ここで、Ｙ＿ＥＲ＿ＵＰスイッチ（図８参照）の内部ダイオードにより、プラズマディスプレイパネル（Ｃｐ）からＹ＿ＥＲ＿ＵＰスイッチを経由して供給及び回収用キャパシター（Ｃｓ）方へ流れる電流（図８に破線の矢印で示す）の整流作用が実現されている。これにより、プラズマディスプレイ装置１００では、整流作用をするダイオードが別途追加されなくても回路動作の安全性が確保されており、素子の個数を節約して製造費用を節減することができるようになっている。
また、Ｙ＿ＥＲ＿ＵＰスイッチが電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。このため、回路動作の安全性がさらに確実に確保される。
【００８１】
さらに、第４区間（Ｔ４）において、図９に示すように、Ｙ＿ＳＵＳ＿ＤＮスイッチがターンオンされて、Ｚ＿ＳＵＳ＿ＤＮスイッチも第４区間後半部までターンオンされた状態に維持される。また、Ｙ＿ＳＵＳ＿ＤＮスイッチとＺ＿ＳＵＳ＿ＤＮスイッチとを除いたスイッチはターンオフされる。これによって、プラズマディスプレイパネル（Ｃｐ）の電圧は基底電圧レベルになる（サステイン電極Ｚの電位が基底電位レベル（グランド電位レベル）に維持された状態で、スキャン電極Ｙの電位が基底電位レベル（グランド電位レベル）になる）。すなわち、第３区間（Ｔ３）が終わる瞬間から第４区間（Ｔ４）において、プラズマディスプレイパネル（Ｃｐ）における電極両端の電圧が基底電圧にされて、スキャン電極（Ｙ）が駆動される期間（Ｔ１〜Ｔ３）と、サステイン電極（Ｚ）が駆動される期間（Ｔ５〜Ｔ７）との間に休止期間が置かれる。これにより、電極相互間の干渉を減らすことができるようになっている。
【００８２】
次に、図５に示すように、第４区間（Ｔ４）から第７区間（Ｔ７）において、または、第４区間（Ｔ４）から次の第０区間（Ｔ０）において、サステイン電極（Ｚ）にサステインパルスが印加されるに先だって、サステイン電極（Ｚ）が駆動されるように、Ｙ＿ＳＵＳ＿ＤＮスイッチ（図９参照）は、ターンオンされて、スキャン電極（Ｙ）が基底電位（グランド電位）に維持されるようにする。
【００８３】
その次に、図５の第５区間（Ｔ５）において、図１０に示すように、Ｚ＿ＥＲ＿ＵＰスイッチがターンオンされて、Ｚ＿ＥＲ＿ＵＰスイッチとＹ＿ＳＵＳ＿ＤＮスイッチを除いた残りのスイッチはターンオフされる。そして、スキャン電極（Ｙ）とサステイン電極（Ｚ）とに共通で使われる供給及び回収用キャパシター（Ｃｓ）により回収されて貯蔵されていた無効電力のエネルギーは、インダクター（Ｌ）と、プラズマディスプレイパネル１１０においてスキャン電極（Ｙ）及びサステイン電極（Ｚ）で形成されるキャパシター（Ｃｐ）との間の共振により、サステイン電極（Ｚ）に供給される。これにより、プラズマディスプレイパネル（Ｃｐ）が充電される。
ここで、インダクター（Ｌ）も、前述のエネルギー供給回収用キャパシター（Ｃｓ）と同様に、スキャン電極（Ｙ）とサステイン電極（Ｚ）とに共通で使われているので、素子の個数が減らされている。
【００８４】
また、ここで、ＥＲ＿ＤＮスイッチ（図１０参照）の内部ダイオードにより、供給及び回収用キャパシター（Ｃｓ）からＥＲ＿ＤＮスイッチを経由してプラズマディスプレイパネル（Ｃｐ）へ流れる電流（図１０に破線の矢印で示す）の整流作用が実現されている。これにより、プラズマディスプレイ装置１００では、整流作用をするダイオードが別途追加されなくても回路動作の安全性が確保されており、素子の個数を節約して製造費用を節減することができるようになっている。
また、ＥＲ＿ＤＮスイッチが電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。このため、回路動作の安全性がさらに確実に確保される。
【００８５】
そして、第６区間（Ｔ６）において、図１1に示すように、Ｚ＿ＳＵＳ＿ＵＰスイッチがターンオンされて、サステイン電極（Ｚ）の駆動波形がサステイン電位（Ｖｓ）に維持されればＺ＿ＥＲ＿ＵＰスイッチがターンオフされる。また、Ｚ＿ＳＵＳ＿ＵＰスイッチ及びＹ＿ＳＵＳ＿ＤＮスイッチを除いた残りのスイッチはターンオフされる。これによってプラズマディスプレイパネル（Ｃｐ）の電圧はサステイン電圧（Ｖｓ）になる。すなわち、第５区間（Ｔ５）が終わる時にＬＣ共振によってプラズマディスプレイパネル（Ｃｐ）の電圧が最大になる。すなわち、その瞬間に、プラズマディスプレイパネル（Ｃｐ）には、サステイン電圧（Ｖｓ）が印加される。ここで、サステイン電圧（Ｖｓ）は、サステイン期間の放電セルの放電を維持するための電圧を意味する。
【００８６】
さらに、第７区間（Ｔ７）において、図１２に示すように、ＥＲ＿ＤＮスイッチがターンオンされて、ＥＲ＿ＤＮスイッチとＹ＿ＳＵＳ＿ＤＮスイッチを除いた残りのスイッチはターンオフされる。これによって、プラズマディスプレイパネル（Ｃｐ）に貯蔵されていたエネルギーがサステイン電極（Ｚ）及びＥＲ＿ＤＮスイッチを介して供給及び回収用キャパシター（Ｃｓ）へと放電される。すなわち、供給及び回収用キャパシター（Ｃｓ）にエネルギーが回収されて、プラズマディスプレイパネル（Ｃｐ）の電圧は降下する（サステイン電極Ｚの電位が降下する）。
ここで、本発明のプラズマディスプレイ装置１００では、ＥＲ＿ＤＮスイッチがスキャン電極（Ｙ）とサステイン電極（Ｚ）とに共通で使われているので、素子の個数が減らされている。
【００８７】
また、ここで、Ｚ＿ＥＲ＿ＵＰスイッチ（図１２参照）の内部ダイオードにより、プラズマディスプレイパネル（Ｃｐ）からＺ＿ＥＲ＿ＵＰスイッチを経由して供給及び回収用キャパシター（Ｃｓ）へ流れる電流（図１２に破線の矢印で示す）の整流作用が実現されている。これにより、プラズマディスプレイ装置１００では、整流作用をするダイオードが別途追加されなくても回路動作の安全性が確保されており、素子の個数を節約して製造費用を節減することができるようになっている。
また、Ｚ＿ＥＲ＿ＵＰスイッチが電界効果トランジスター（ＦＥＴ）素子である場合には、ドレーン（Ｄｒａｉｎ）とソース（Ｓｏｕｒｃｅ）との間にダイオードが挿入されることにより、さらに確実な整流作用が実現できるようになっている。このため、回路動作の安全性がさらに確実に確保される。
【００８８】
そして、スキャン電極（Ｙ）が駆動される前の休止期間として、次の第０区間（Ｔ０）が始まる。この第０区間において、Ｚ＿ＳＵＳ＿ＤＮスイッチがターンオンされて、Ｙ＿ＳＵＳ＿ＤＮスイッチも第０区間後半部までターンオンされた状態に維持される。また、Ｚ＿ＳＵＳ＿ＤＮスイッチとY＿ＳＵＳ＿ＤＮスイッチとを除いたスイッチはターンオフされる。これによって、プラズマディスプレイパネル（Ｃｐ）の電圧は基底電圧レベルになる（スキャン電極Ｙの電位が基底電位レベル（グランド電位レベル）に維持された状態で、サステイン電極Ｚの電位が基底電位レベル（グランド電位レベル）になる）。すなわち、第７区間（Ｔ７）が終わる瞬間から第０区間（Ｔ０）において、プラズマディスプレイパネル（Ｃｐ）における電極両端の電圧が基底電圧にされて、サステイン電極（Ｚ）が駆動される期間（Ｔ５〜Ｔ７）と、次にスキャン電極（Ｙ）が駆動される期間（Ｔ１〜Ｔ３）との間に休止期間が置かれる。これにより、電極相互間の干渉を減らすことができるようになっている。
【００８９】
また、このような本発明のプラズマディスプレイ装置１００におけるプラズマディスプレイパネル１１０の駆動方法では、図１３に示すダイオードＤ１及びダイオードＤ２がサステイン電圧レベル（Ｖｓ）を維持させる作用をすることが望ましい。すなわち、ダイオードＤ１及びダイオードＤ２は、インダクター（Ｌ）に流れる電流の方向が急に変わったときにインダクター部４１０の両端に逆起電力が発生した場合でも、過電位を制御してサステイン電圧レベル（Ｖｓ）を維持させる役目をする（スイッチング素子（Ｙ＿ＥＲ＿ＵＰスイチング素子，Ｚ＿ＥＲ＿ＵＰスイチング素子，ＥＲ＿ＤＮスイチング素子）に過電流が流れることを抑制して、スイッチング素子の損傷を防ぐ役目をする）。これにより、回路作動の安全性が確保される。
【００９０】
以上で説明した本発明のプラズマディスプレイ装置では、スキャン電極（Ｙ）の駆動回路とサステイン電極（Ｚ）の駆動回路とが統合された構成が適用されていてもよい。
【００９１】
この場合でも、インダクター（Ｌ）やＥＲ＿ＤＮスイチング素子がスキャン電極（Ｙ）とサステイン電極（Ｚ）とに共通で使われている点は、上記の実施形態と同様である。したがって、素子の数が大幅に減少しているので製造費用を節減させることができるようになっている。
【００９２】
また、整流作用をする素子が別途追加されなくても、スイッチ素子の内部ダイオードを介して過電流を遮断することができるようになっているので、素子数を減少させるだけでなく、回路動作の安全性を確保することができるようになっている。
【図面の簡単な説明】
【００９３】
【図１】従来のプラズマディスプレイ装置におけるプラズマディスプレイパネル及びそれを駆動する駆動装置の構成を示す図。
【図２】従来のプラズマディスプレイ装置における駆動装置による駆動方法を用いて得られる駆動波形を示す図。
【図３】本発明のプラズマディスプレイ装置におけるプラズマディスプレイパネルの駆動装置によって得られる駆動波形を示す図。
【図４】本発明のプラズマディスプレイ装置におけるプラズマディスプレイパネルの駆動装置を示す図。
【図５】本発明のプラズマディスプレイ装置におけるプラズマディスプレイパネルの駆動装置によって得られる駆動波形のタイミング図。
【図６】本発明に係るプラズマディスプレイパネルの駆動方法が行われた場合にエネルギーが供給される経路を示す図。
【図７】本発明に係るプラズマディスプレイパネルの駆動方法が行われた場合にエネルギーが供給される経路を示す図。
【図８】本発明に係るプラズマディスプレイパネルの駆動方法が行われた場合にエネルギーが供給される経路を示す図。
【図９】本発明に係るプラズマディスプレイパネルの駆動方法が行われた場合にエネルギーが供給される経路を示す図。
【図１０】本発明に係るプラズマディスプレイパネルの駆動方法が行われた場合にエネルギーが供給される経路を示す図。
【図１１】本発明に係るプラズマディスプレイパネルの駆動方法が行われた場合にエネルギーが供給される経路を示す図。
【図１２】本発明に係るプラズマディスプレイパネルの駆動方法が行われた場合にエネルギーが供給される経路を示す図。
【図１３】本発明に係るプラズマディスプレイパネルの駆動方法が行われた場合にエネルギーが供給される経路を示す図。
【図１】
2007079535.tif 000003
【図２】
2007079535.tif 000004
【図３】
2007079535.tif 000005
【図４】
2007079535.tif 000006
【図５】
2007079535.tif 000007
【図６】
2007079535.tif 000008
【図７】
2007079535.tif 000009
【図８】
2007079535.tif 000010
【図９】
2007079535.tif 000011
【図１０】
2007079535.tif 000012
【図１１】
2007079535.tif 000013
【図１２】
2007079535.tif 000014
【図１３】
2007079535.tif 000015